Podtech/llm-jp-corpus-v4-ja_patent huggingface dataset:
(57)【要約】【課題】  ブラジャーの肩紐が着ている間に緩み肩から落ちるという現象を引き起こしていた。その結果、ブラジャーの着け心地が悪くなるばかりでなく、ノースリーブの衣服を着た時等ブラジャーの緩んだ肩紐が衣服からはみ出して見え美的感覚を損ねるという問題があった。【解決手段】  弾性を有する所定の長さの帯状部材と、該帯状部材の所定位置に結合部材を備え、ブラジャーの肩紐を背部で絞って緩みをなくすことを特徴とするブラジャー肩紐ストッパーである。【選択図】    図１
2007231454.tif 000002
【特許請求の範囲】
【請求項１】
弾性を有する所定の長さの帯状部材と、該帯状部材の所定位置に結合部材を備え、ブラジャーの肩紐の背部を絞って緩みをなくすことを特徴とするブラジャー肩紐ストッパー。
【発明の詳細な説明】
【技術分野】
【０００１】
本発明は、ブラジャーの肩紐を背部で絞って緩みをなくしてとめるブラジャー肩紐ストッパーに関するものである。
【背景技術】
【０００２】
従来、ブラジャーの肩紐を背部で絞って緩みをなくしてとめるブラジャー肩紐ストッパーは存在していない。
【発明の開示】
【発明が解決しようとする課題】
【０００３】
従来、ブラジャーの肩紐が着ている間に緩み肩から落ちるという現象を引き起こしていた。その結果、ブラジャーの着け心地が悪くなるばかりでなく、ノースリーブの衣服を着た時等ブラジャーの緩んだ肩紐が衣服からはみ出して見え美的感覚を損ねるという問題があった。
【課題を解決するための手段】
【０００４】
前記課題を解決するために、本発明は、弾性を有する所定の長さの帯状部材と、該帯状部材の所定位置に結合部材を備え、ブラジャーの肩紐を背部で絞って緩みをなくすることを特徴とするブラジャー肩紐ストッパーを提供するものである。
【発明の効果】
【０００５】
本発明によれば、弾性を有する所定の長さの帯状部材と、該帯状部材の所定位置に結合部材を備えたブラジャー肩紐ストッパーを用いてブラジャーの肩紐を背部で絞って、肩紐の緩みをなくすことができるので、肩紐の緩みによる不快感やノースリーブの衣服を着た時等のブラジャーの緩んだ肩紐が衣服からはみ出して美的感覚を損ねることがない。
【０００６】
また、ブラジャーの肩紐が落ちやすい人には、本発明のブラジャー肩紐ストッパーを用いてブラジャーの肩紐を背部で絞ると、ブラジャーの肩紐が落ちることがない。したがって、ブラジャーの肩紐が落ちやすい人にも最適である。
【発明を実施するための最良の形態】
【０００７】
以下に、本発明のブラジャー肩紐ストッパーの一実施例について図面を用いて説明する。
【実施例】
【０００８】
図１は本発明のブラジャー肩紐ストッパーの一実施例の平面図、図２は図１の折りたたみ線に沿って折りたたみスナップボタンを結合させた状態の平面図である。
【０００９】
本発明のブラジャー肩紐ストッパーの一実施例は、図１に示すように、弾性を有する所定の長さの帯状部材１を用意する。前記帯状部材１は、例えば、幅３．５ｃｍ、長さ３．６〜６．０ｃｍのゴム紐を用いる。
【００１０】
前記帯状部材１の所定位置に結合部材２に取り付ける。前記結合部材２としては、例えば、雄雌のスナップボタンあるいはマジックテープ（登録商標）を用いる。
【００１１】
前記雄雌のスナップボタンあるいはマジックテープ（前記結合部材２）は、図１に示す前記帯状部材１の折りたたみ線３に沿って折りたたんだ時、前記雄雌のスナップボタンあるいはマジックテープが結合できる位置に取り付けられてブラジャーストッパー１０を作製する。
【００１２】
そして、図２に示すように、ブラジャーストッパー１０の前記帯状部材１の折りたたみ線３に沿って折りたたみ、図３に示すようにブラジャーの肩紐４を、図４に示すように絞って、背部の肩紐４の緩みをなくす。これによりノースリーブの衣服を着てもブラジャーの肩紐が袖ぐり（アームホール）等から見えることがなく美的感覚をそこねることがない。
【００１３】
また、ノースリーブの衣服を着時、ブラジャーの肩紐が落ちやすい人には、本発明のブラジャー肩紐ストッパー１０を用いてブラジャーの肩紐４を背部で絞る。これによりノースリーブの衣服を着てもブラジャーの肩紐が落ちることがない。
【図面の簡単な説明】
【００１４】
【図１】本発明のブラジャー肩紐ストッパーの一実施例の平面図である。
【図２】図１の折りたたみ線に沿って折りたたんでスナップボタンを結合させた状態の平面図である。
【図３】本発明のブラジャー肩紐ストッパーを用いない時のブラジャーの肩紐の背部の状態を示す図である。
【図４】本発明のブラジャー肩紐ストッパー用いた時のブラジャーの肩紐の背部の状態を示す図である。
【符号の説明】
【００１５】
１‥‥弾性を有する所定の長さの帯状部材
２‥‥結合部材
３‥‥折りたたみ線
４‥‥ブラジャーの肩紐
１０‥‥ブラジャー肩紐ストッパー
【図１】
2007231454.tif 000003
【図２】
2007231454.tif 000004
【図３】
2007231454.tif 000005
【図４】
2007231454.tif 000006
(57)【要約】      （修正有）【課題】水の排出状態を夜間でも視覚できる給水専用の吐水口を提供する。【解決手段】給水栓の給水口に着脱可能に取付ける吐水口本体１の下流側開口端部に光源１３を装置する。そして、光源１３への電流の供給源となる電源を前記吐水口本体１に設ける。また、吐水口本体１内の供給水の流路７に前記電源の起動装置を設ける。【選択図】図１
2007231693.tif 000002
【特許請求の範囲】
【請求項１】
給水栓の給水口に着脱可能に取付ける吐水口本体の下流側開口端部に光源を装置し、該光源への電流の供給源と成る電源を前記吐水口本体に設けると共に、前記吐水口本体内の供給水の流路上には前記電源の起動装置を設けた、給水栓の吐水口。
【請求項２】
電源を電池とすると共に、起動装置をスイッチとした、請求項１記載の給水栓の吐水口。
【請求項３】
電源を発電機とすると共に、起動装置を回動羽車で構成した、請求項１記載の給水栓の吐水口。
【請求項４】
光源をＬＥＤで構成した請求項１乃至３の内いずれか１項記載の給水栓の吐水口。
【発明の詳細な説明】
【技術分野】
【０００１】
本発明は、一般家庭の蛇口などの給水栓に用いる吐水口に関するものである。
【背景技術】
【０００２】
給水栓に設けられる吐水口は、概し、下流側の開口部に整流用の網体を張設したものが用いられるのが一般的である（例えば、特許文献１）。
【０００３】
【特許文献１】特開２０００−１７７０２号公報
【発明の開示】
【発明が解決しようとする課題】
【０００４】
本発明は、吐水口からの水の排出状態を夜間（暗闇）でも視覚できるようにしたものであるが、従来は、前記従来例で示すごとく、整流のために用いており、該吐水口からの水の排出状態を視覚するようにしたものはない。
【課題を解決するための手段】
【０００５】
給水栓の給水口に着脱可能に取付ける吐水口本体の下流側開口端部に光源を装置し、該光源への電流の供給源と成る電源を前記吐水口本体に設けると共に、前記吐水口本体内の供給水の流路上には前記電源の起動装置を設けたことを基本的手段とする。
【発明の効果】
【０００６】
本発明によれば、給水栓を開放することによって流路上に流れ込む水が起動装置を作動させて回路が閉じて電源からの電流の供給により光源が点灯し、その照明により水の排出状況を夜間（暗闇）でも視覚することができる。すなわち、所謂電灯を用いないで給水栓を開放するだけで、手元の照明を簡単に得られ、暗闇での手洗い等に適用するに好適な吐水口を提供できる。
【０００７】
なお、光源をＬＥＤにすると、ＬＥＤより出る発光色により皮膚細胞内を活性化させ、エネルギーを上げ、痛みを取ったり自然の治癒力を高める効果があることが判明しており、従って、比較的長い時間使用する風呂のシャワー装置などに用いると好適である。
【実施例】
【０００８】
図面は本発明に係る給水栓の吐水口の実施例を示し、図１は第一実施例の略示説明図、図２は第二実施例の略示説明図である。
【０００９】
図中、Ａは本発明に係る吐水口で、吐水口Ａは装置室１Ａを備えた筒状の本体１の下端開口部に平板状の多孔体で成る整流板２（シャワー装置）を装置し、上面に突設した接続筒３の外側にゴムなどで構成した弾性筒４を嵌着し、該弾性筒４を給水栓の給水口５に係合し、弾性筒４の外側に巻回したコイルバネ６で該弾性筒４を給水口（吐水筒）５に着脱可能に止着し、給水口５から流れ込む水を前記整流板２を通して吐出させて需要に供し、その際に、整流板２すなわち吐出部に装置した光源１３が点灯するようにしたものである。
【００１０】
第一実施例
図１で示す第一実施例の吐水口Ａは、前記接続筒３と整流板２を備えた下端開口部との間の流路７内に、回動軸８ａに放射状に配して組付けた羽根片８ｂとで成る回動羽車８の回動軸８ａを、流路７内の水の流れに対して直交する方向に軸受１０で回動自在に支持させて電源と成る発電機９の起動装置と成し、発電機９を前記装置室１Ａ内に装置した磁石９ａ，９ａ間に前記回動軸８ａの延長上にして回動する電機子９ｂを軸受１０で支持させ、電機子９ｂに電流を取り出すための装置（接触子やブラシ）を介して導通させたリード線を装置室１Ａ外部に導出して光源１３（実施例はＬＥＤ）に接続したものである。
【００１１】
この第一実施例は、給水栓を開口して給水筒５および接続筒３を通じて流路７内に水を流し込ませると、該水圧を受けて回動羽車８は回動し、該回動羽車８に連動するように装置室１Ａ内に設けた電機子９ｂが回動し、すなわち、発電機９が起動して起電力が生じ、該起電力に生じた電流が光源１３に流れ、これを点灯させる。
【００１２】
第二実施例
図２で示す第二実施例は、第一実施例が電源を発電機９（発電装置）で構成するに対し、装置室１Ａに取替え自在に装置した電池１４で構成し、該電池１４と前記の光源１３とで成す回路を開閉する起動装置を圧力スイッチ１５で構成し、該スイッチ１５の操作子を前記流路７の分岐部７ａに配置し、これに水圧（流路７内の水）が作用するようにして前記の回路を閉じて光源１３が点灯するようにしたものである。
【図面の簡単な説明】
【００１３】
【図１】第一実施例の略示説明図。
【図２】第二実施例の略示説明図。
【符号の説明】
【００１４】
１      吐水口本体
７      流路
１３    光源
【図１】
2007231693.tif 000003
【図２】
2007231693.tif 000004
(57)【要約】【課題】外壁パネルの下地金物取付け工事における耐震金具であって、簡単な構造の金具を利用して結合部位の確実堅牢な構成を提供し、かつ上記作業の迅速化をはかる形状を形成した。【解決手段】長方形の金属板を、結合しなければならない二つの部材にまたがらせて添設して固定することで、耐震構造上十分な溶接しろを確保し、かつ該両部材のうち一方の後付け部材を微妙な位置調整をしながら固定する作業を簡便ならしめるため本発明には該後付け部材を乗せかけるだけで自動的に位置調整することが可能な形状を形成した。【選択図】図２
2007231713.tif 000002
【特許請求の範囲】
【請求項１】
本発明はＬ型アングル及びフラットバーを用いて施工される外壁パネルの下地取付け工事に際して、該Ｌ型アングルと該フラットバーの結合部位にまたがって添設されることで、耐震強度を保持するに十分な溶接しろを確保することが可能となり、かつ該フラットバーを受ける目的の台座状の折り返しを形成したことで作業効率を向上させる金属製の耐震金具。
【発明の詳細な説明】
【技術分野】
【０００１】  本発明は外壁パネルの下地金物取付け工事における下地金物部材間の結合部に添設して、この結合部の耐震補強と取付け作業の迅速化を目的とした耐震金具に属する。
【背景技術】
【０００２】従来は、外壁パネルの下地金物を取付ける工事においてＬ型アングルにフラットバーを結合する場合には両部材を突き合わせた部位のみ直接電気溶接することが慣例であり、またこの作業には該フラットバーの微妙な位置調整に難渋していた。
【発明の開示】
【発明が解決しようとする課題】
【０００３】ところが、このようにＬ型アングルとフラットバーを直接突き合わせ溶接によって結合するにあたっては同作業に熟練した作業員に行われたとしても、しばしば溶接部位にクラック或いは断裂の発生が確認されており、
【課題を解決するための手段】
【０００４】発明者はこの点に鑑み、部材結合について試作研究を重ねた結果、Ｌ型アングルとフラットバーの結合部位にあらたにもう一つの本発明耐震金具を加えることで耐震性を保持し、かつ該耐震金具の一辺には該フラットバーと同じ厚みの折り返し部を形成しており、ここに該フラットバーを乗せかけて瞬時に位置調整することが可能となり、この結合作業を容易確実なものとした。
【発明の効果】
【０００５】  本発明の外壁パネル耐震金具はＬ型アングルとフラットバーの結合部において双方にまたがって添設され十分な溶接しろを確保することでたとえ強い地震が起こったとしても該結合部の損傷を防ぎ、かつ本発明の耐震金具を該Ｌ型アングルに先付けすることで本発明の一辺に設けた直角に折り曲げた台座状の折り返し部を受けとして該フラットバーを乗せかけることで該フラットバーの位置を自動的に調整されるため、整然たる仕上がりが約束される。
【実施例１】
【０００６】  添付図面の図２に示しているＬ型アングル（Ａ）に本発明（Ｃ）をあらかじめ添設して電気溶接にて固定しておき、次にフラットバー（Ｂ）を台座状の折り返し（１）に乗せかけることでフラットバー（Ｂ）の高さ及び出入りを自動的に調整して、溶接しろ（２）、（３）、（４）、（５）を電気溶接を用いて迅速かつ確実に溶接し結合することが出来る。
【図面の簡単な説明】
【０００７】
【図１】  本発明の展開図である。
【図２】  本発明の使用状態を示す正面図である。
【符号の説明】
【０００８】    Ａ  Ｌ型アングル
Ｂ  フラットバー
Ｃ  本発明の外壁パネル耐震金具
１  直角に折り曲げた台座状の折り返し
２  溶接しろ
３  溶接しろ
４  溶接しろ
５  溶接しろ
【図１】
2007231713.tif 000003
【図２】
2007231713.tif 000004
(57)【要約】【課題】排尿力の弱い老人等が洋式便器で諸々を汚す事なく清潔に立小便出来、亦洩れ尿の始末も出来る立小便用汚染防止具を提供する。【解決手段】防止具の主体（１）を水溶質材とし、該上端にペニス体に装着する縁付きの装着口（２）を設け、主体（１）の適部より絞って下端に排尿口（３）を設け、該尿通路を遅水溶固定剤で強化してなる、洋式便器で諸々を汚染する事なく立小便出来、尚洩れ尿始末も出来、使用済み主体（１）は水洗で流せる、立小便用汚染防止具。【選択図】図２
2007231715.tif 000002
【特許請求の範囲】
【請求項１】
防止具の主体（１）の上端にペニス体に装着する縁付の装着口（２）を設け、該主体（１）の適部より絞って下端に排尿口（３）を設けてなる立小便用汚染防止具。
【請求項２】
主体（１）を水溶材とし、該尿流路を遅水溶固定剤で強化してなる水洗で流せる使い捨て用の請求項１記載の立小便用汚染防止具。
【請求項３】
装着口（２）適処に水溶性の粘着片（４）を付設してなる洩れ尿対策用の請求項２記載の立小便用汚染防止具。
【発明の詳細な説明】
【発明の詳細なる説明】
【技術分野】
【０００１】此発明は洋式腰掛便器で立小便する場合の周辺諸々の汚染防止、竝洩れ尿対策用の防止具に関するものである。
【背景技術】
【０００２】前立腺障害等で排尿力が劣化した老齢等男子は排尿があちこち散乱して周辺、衣類等を汚染して難儀していたが、是を防止する器具は無く、跡始末に困る主婦等から面倒な座位排尿をしいられていた。
【発明の解決しようとする課題】
【０００３】排尿力の弱化した男子が洋式便器で便器、周辺床面、衣類等を汚染する事なく清潔に立小便出来、亦洩れ尿対策をもする。
【課題を解決する為の手段】
【０００４】前立腺障害や老齢の為尿導口が半開き立細裂口状の為分裂散乱する尿を、排尿口で一本筋にまとめて放出し、亦事後の尿しずく振飛ばしも不要とする補助具を用いて、排尿力弱男子が洋式便器で清潔に立小便出来る様にし、尚洩れ尿対策も出来る様にする。
【発明を実施するための最良の形態】
【０００５】水溶質材の主体（１）の上端をペニス体に装着出来る縁付の、装着口（２）とし、主体（１）の適部より下方へ絞って下端に排尿口（３）を設け、排尿路壁を遅水溶固定剤で強化し、装着口（２）適処に水溶性の粘着片（４）を付着してなるもので、（５）は強化部である。
【発明の実施例に付いて説明する】
【０００６】排尿力弱い男子が洋式便器で立小便する場合、主体（１）を装着口（２）よりペニス体に深く装着排尿すれば、半開の立細尿導口より分裂、亦はしたたる等して出る尿も排尿口（３）で合流して一筋にまとめられ亦放尿筒先が前方へせり出す為、排出尿は便器吸込口へ正確に適中し、亦事後主体（１）上部をつぶして、該部で尿しずくを拭き取り乍ら是を抜去、水洗で流す、トイレ出所後や不時に尿洩れする人が多いが、主体（１）の下端を上向きに折りつぶして粘着片（４）の保護紙を取り去り該体をペニス体に粘着したままで置けば、これを事後取り去る丈でパンツ等を汚す事なく処理出来る。
【発明の効果】
【０００７】本発明は上記の構成により、下記の効果をもつものである。
【０００８】前立腺障害や老齢の為排尿が四散や、したたり等する人も本発明汚染防止具を使用すれば、便器、周辺床面、ズボン等を汚す事なく清潔に洋式便器で立小便出来る、亦広範囲を汚す尿しずく振り飛ばしを不要とする、亦不時の洩れ尿も案易に始末出来る、亦縁付の主体（１）は多数重ねてホルダーにて壁面に吊し、引き抜いて連用出来る等数々の効果を有する。
【図面の簡単な説明】
【図１】本発明の側面図
【図２】使い捨て用の本発明の側面図
【符号の説明】
１  主体
２  装着口
３  排尿口
４  粘着片
５  強化部
【図１】
2007231715.tif 000003
【図２】
2007231715.tif 000004
(57)【要約】【課題】ダムや河川を必要としない、揚水された水のみを動力源とした水力発電装置を実現する。【解決手段】揚水管1と、大吐出量型エアーポンプ１５からなる、エネルギー効率の高い気泡ポンプによって揚水を行い、揚水管1に上昇流を発生させ、この末端のノズル２から噴出する水流と、衝動水車９によって得られる動力により、発電機１０を駆動させ発電を行う。また、受水槽７から揚水槽３に揚水が行われたことによって、水圧管５に下降流が発生し、これにより末端のノズル６から噴出する水流と、衝動水車１１によって得られる動力により、発電機１２を駆動させ発電を行う。【選択図】図１
2007231760.tif 000002
【特許請求の範囲】
【請求項１】
気泡ポンプによって汲み上げられた水が揚水管から噴出する力を利用した水力発電装置と、汲み上げられた水が水圧管を落下する力を利用した水力発電装置を組み合わせた複合水力発電装置。
【請求項２】
管内に整流板を持った構造の揚水管と、起動用高圧力型エアーポンプ 、操業用大吐出量型エアーポンプから成る気泡ポンプ装置。
【請求項３】
エネルギー効率の高い気泡ポンプを設計するための揚水管内径の決定法。
【発明の詳細な説明】
【技術分野】
【０００１】
本発明は、水力発電に必要な水の全てを、一度下流へ流された水を汲み上げて再び利用することでまかない、ダムや河川を必要とせず、設置場所を選ばない水力発電装置を実現するものである。
【背景技術】
【０００２】
従来の水力発電は、ダムによってせき止められた河川の水の圧力や、河川の上流から水を取り込み下流へ放流する間の落差による水流を利用し発電を行う等、水力発電装置の設置場所には河川の存在が不可欠であった。
【発明の開示】
【発明が解決しようとする課題】
【０００３】
解決しようとする問題点は、揚水を行うのに必要なエネルギーを、水力発電によって得られるエネルギーよりも小さく抑えることである。
【課題を解決するための手段】
【０００４】
本発明は、揚水を行うのに気泡ポンプを使用する。このポンプを作動させるための空気を、より小さなエネルギーで送り込めるよう設計することで、エネルギー効率の高い揚水が行えるようにし、課題を解決するものである。
【０００５】
気泡ポンプを作動させる原動力は、管内に空気を送り込むエアーポンプである。このポンプが使用するエネルギーを抑えるには、空気を送り込む箇所、管内壁面への水の圧力を下げなければならない。
【０００６】
ベルヌーイの定理により、管内を流れる水の流速が速いほど、管内壁面への圧力は低下することが知られている。これを応用し、気泡ポンプによって揚水される水の流量が管下端より流入するとき、摩擦損失が発生しない範囲内で、できる限り管内径を小さくし、管内を流れる水の流速を高め、管内壁面への圧力を低下させることで、空気を送り込むためにエアーポンプが使用するエネルギーを最小限に抑えることができる。
【０００７】
そして、この管内を板で細かく仕切り、気泡によって押し上げられる水が、管内壁面と気泡の隙間から気泡の下に回り込むのを防ぐことで、揚水途中の損失を抑えることができ、これによって、エネルギー効率の高い気泡ポンプを実現することができる。
【０００８】
この考えに基づき設計された、揚水管１、整流板１９、高圧力型エアーポンプ１３ 、大吐出量型エアーポンプ１５から成る気泡ポンプを揚水に使用し、その揚水管１上端のノズル２の先に衝動水車９、発電機１０から成る水力発電装置を置き、揚水によって発生する水流によって発電を行う。一方、水圧管５下端のノズル６の先にも衝動水車１１、発電機１２から成る水力発電装置を置き、水の落差によって発生する水流によって発電を行う。
また、揚水層３、水圧管５、受水槽７は、そこに流れる水の流量に対して十分な流水断面積をとり、摩擦損失が発生しないよう設計する。
【発明の効果】
【０００９】
本発明の気泡ポンプを使って揚水を行う水力発電装置によって、ダムや河川を必要とせず、設置場所を選ばない水力発電装置を実現することができる。
【発明を実施するための最良の形態】
【００１０】
本発明装置の水圧管側は水の落差を利用した水力発電装置である。このため気泡ポンプの性能によって揚水を行える範囲内で、できるだけ高さのある水圧管を用い、水の落差を大きくするよう本装置の設計をすることで、より大きな電力を得ることができる。
【実施例１】
【００１１】
図１は、本発明装置の実施例の構造を示した側面図であり、図２は、これに使用されている揚水管の断面図である。
【００１２】
本装置の起動は、高圧力型エアーポンプ１３によって行う。起動時、揚水管１下端側面の空気吹き込み口には、揚水槽３の水面から空気吹き込み口までの水深分の水圧がかかっており、空気を送り込むには高圧力型のエアーポンプが必要になる。
【００１３】
揚水管１に空気が送り込まれ始めると、揚水が行われ揚水管１内に水流が発生することで、ベルヌーイの定理により管内壁面への圧力が低下する。また、揚水管１内には空気と水が混在する状態になるため見かけ上の水位が低下し圧力が低下する。これら二つの作用により、揚水管１下端側面の空気吹き込み口にかかる圧力が低下するため、より小さな力で空気を送り込めるようになる。ここから大吐出量型エアーポンプ１５を作動させ、より多くの空気を送り込むことで、気泡ポンプの揚水効率を上げることができる。
【００１４】
揚水された水はノズル２から噴出する。この先に衝動水車９、発電機１０から成る水力発電装置を置くことで発電を行い、水は揚水槽３に溜められ、空気は排気口４から排出される。
【００１５】
受水槽７から揚水槽３へと水が汲み上げられたため、水圧管５には下降流が発生し、その水がノズル６から噴出する。この先に衝動水車１１、発電機１２から成る水力発電装置を置くことで発電を行い、水は受水槽７に溜められる。
【００１６】
衝動水車１１と発電機１２は水没を防ぐため気密室８に設置する。気密室８から空気が漏れないよう、水圧管５はその下端を受水槽７の水面下を通る形にし、受水槽７の水位が上昇した場合に備え、高圧力型エアーポンプ１７を設置する。
【産業上の利用可能性】
【００１７】
これは、ダムや河川を必要とせず、設置場所を限定されない水力発電装置であるために、一般家庭や工場、その他施設での自家発電装置として利用することができる。
【図面の簡単な説明】
【００１８】
【図１】気泡ポンプ揚水式複合水力発電装置の全体構造を示した側面図である。
【図２】気泡ポンプ揚水式複合水力発電装置の揚水管内部構造を示した断面図である。
【符号の説明】
【００１９】
１    揚水管
２    ノズル
３    揚水槽
４    排気口
５    水圧管
６    ノズル
７    受水槽
８    気密室
９    衝動水車
１０    発電機
１１    衝動水車
１２    発電機
１３    高圧力型エアーポンプ
１４    逆流防止弁
１５    大吐出量型エアーポンプ
１６    逆流防止弁
１７    高圧力型エアーポンプ
１８    逆流防止弁
１９    整流板
【図１】
2007231760.tif 000003
【図２】
2007231760.tif 000004
(57)【要約】【課題】  振動伝達盤に配列された、一端を固定した振動伝達棒の先端を手指にてはじいて音を発する、カリンバとも呼ばれて流通している指ピアノにおいて、従来、単独による使用演奏のみ可能であった構造的問題を、複数での対面体勢による同時使用演奏を可能とする構造に改良すること、及び、アロマ芳香器としての同時使用。【解決手段】  複数組の振動伝達棒３を対向させる状態で配列し、アロマオイル排出口を兼ねたビブラ−トホ−ル１２が設置された、アロマオイル収納器を兼ねた振動共鳴体５上部に、アロマオイル注入口を兼ねたサウンドホ−ル２が上下を貫いた状態で設置されている振動伝達盤１を固定し、前記アロマオイル収納器を兼ねた振動共鳴体５を加熱することにより、該収納器内部に保存されたアロマオイル８が蒸気となって、前記アロマオイル注入口を兼ねたサウンドホ−ル２から発生する構造に改良することにより課題は解決する。【選択図】図２
2007072029.tif 000002
【特許請求の範囲】
【請求項１】
複数組の振動伝達棒３を対向させる状態で配列した構造を特徴とする指ピアノ。
【請求項２】
アロマオイル排出口を兼ねたビブラ−トホ−ル１２が設置された、アロマオイル収納器を兼ねた振動共鳴体５上部に、アロマオイル注入口を兼ねたサウンドホ−ル２が上下を貫いた状態で設置されている振動伝達盤１を固定し、前記アロマオイル収納器を兼ねた振動共鳴体５を加熱することにより、該収納器内部に保存されたアロマオイル８が蒸気となって、前記アロマオイル注入口を兼ねたサウンドホ−ル２から発生する構造にしたことを特徴とする、請求項１記載の指ピアノ。
【発明の詳細な説明】
【技術分野】
【０００１】
本発明は、振動伝達盤に配列された、一端を固定した振動伝達棒の先端を手指にてはじいて音を発する、カリンバとも呼ばれて流通している指ピアノにおいて、構造を改良することにより、複数での対面体勢による同時使用演奏を可能にし、楽器としての使用とアロマ芳香器としての使用を同時に行なえるようにしたものである。
【背景技術】
【０００２】
従来の指ピアノにおける振動伝達棒の配列は、一方向だけに向けた構造で設計製作されたものが一般的とされていた。
【特許文献１】実開昭６３−１２４２９０号公報
【発明の開示】
【発明が解決しようとする課題】
【０００３】
しかし、演奏目的において使用する場合、従来の構造では演奏可能人数は一名のみに限定される為、複数での対面体勢による同時使用演奏は構造上不可能である。また、アロマ芳香器としての同時使用も不可能であった。
【課題を解決するための手段】
【０００４】
この課題を解決する為の請求項１の発明は、複数組の振動伝達棒３を対向させる状態で配列したことである。
【０００５】
請求項２の発明は、アロマオイル排出口を兼ねたビブラ−トホ−ル２が設置された、アロマオイル収納器を兼ねた振動共鳴体５上部に、アロマオイル注入口を兼ねたサウンドホ−ル２が上下を貫いた状態で設置されている振動伝達盤１を固定し、前記アロマオイル収納器を兼ねた振動共鳴体５を加熱することにより、該収納器内部に保存されたアロマオイル８が蒸気となって、前記アロマオイル注入口を兼ねたサウンドホ−ル２から発生する構造的特徴を、請求項１記載の指ピアノに組み合わせたことである。
【発明の効果】
【０００６】
本発明によって、同時使用演奏可能人数は複数に増え、演奏者同士は対面体勢で共に奏でることになる為、対話形式による調和を重視した音楽を体感することになる。また、楽器としての使用とアロマ芳香器としての使用が同時に行なえるようになった。
【発明を実施するための最良の形態】
【０００７】
図１は、本発明による楽器の平面図である。振動伝達盤１の中心にあけた３センチから５センチ程の穴に、漏斗型の部品を設置すると、アロマオイル注入口を兼ねたサウンドホ−ル２としての役割を果たす。
【０００８】
図２は、本発明による楽器を正面から見た断面図で、アロマ芳香器として使用する場合の構造原理を示す。アロマオイル収納器を兼ねた振動共鳴体５は、ステンレス等、耐食性及び、耐熱性の高い材質であることが望ましく、形状はサラダボ−ル型が適しており、内部は空洞である必要がある。アロマオイルと一緒に沸騰した湯を注入しても、香りは蒸気となって発生するので、芳香器としての役割を果たすが、電球等の熱を利用することによって、より安定した効果が得られる。その場合、振動伝達盤１と同等の直径を持つ、平らな台座７が必要で、その中心に、アロマオイル収納器を兼ねた振動共鳴体５下部と接触しない程度の距離で、電球６を上向きに設置、台座７に楽器本体を支える為の脚部４を数本
設けることにより、台座７はアロマ芳香器としての安定した役割を果たす。香りの強弱は電球６とコンセント１１の中間に設けた調光機１０にて調節する。香りを強めたい場合には、明かりの量を増やし、逆に弱めたい場合は、明かりの量を減らせばよい。また、火力にて加熱する場合は、電球６の代わりにロウソクを使用すればよい。アロマオイル注入口を兼ねた振動共鳴体５側面の、ビブラ−ト奏法を可能にする為の１センチ程の穴は、不必要となったアロマオイルの排出、及び、内部を洗浄した際の水抜きとしても使用できる。この穴を使用しない場合、同サイズのゴム栓１８を差し込んでおけば、内部に保存したアロマオイル８は楽器本体が揺れてもこぼれない。この穴は対向させる状態で数カ所設置することが望ましい。
【０００９】
図３は、本楽器の発音原理を示す。振動伝達棒３の先端を手指にてはじくと、板状振動伝達台１６を通して、振動共鳴盤１へと振動が伝わり、アロマオイル収納器を兼ねた振動共鳴体５内部で共鳴音となり、アロマオイル注入口を兼ねたサウンドホ−ル２から発音される仕組みである。ネジ１３を弛めると、振動伝達棒３は前後に移動するので、任意でさまざまな音階に調律することが可能である。
【図面の簡単な説明】
【００１０】
【図１】本楽器の平面図である。
【図２】本楽器の正面から見た断面図である。
【図３】本楽器の発音原理を示した図である。
【符号の説明】
【００１１】
１          振動伝達盤
２          アロマオイル注入口を兼ねたサウンドホ−ル
３          振動伝達棒
４          脚部
５          アロマオイル収納器を兼ねた振動共鳴体
６          電球
７          台座
８          アロマオイル
９          電球コ−ド
１０        調光機
１１        コンセント
１２        アロマオイル排出口を兼ねたビブラ−トホ−ル
１３        ネジ
１４        ナット
１５        金属製支え棒
１６        板状振動伝達台
１７        止め金具
１８        ゴム栓
【図１】
2007072029.tif 000003
【図２】
2007072029.tif 000004
【図３】
2007072029.tif 000005
(57)【要約】【課題】  布帯製、革、人工革、ポリエステル製、ゴム製の幅広のベルトに腹部と腰部に、それぞれ腹当て具、腰当て具を取りつけてベルトを強く締めることで、声の発声が容易になり、ウエストが細くなり、腰痛の予防、治療に効果のある幅広ベルトを提供する。【解決手段】  布帯製、革、人工革、ポリエステル製、ゴム製等の幅広ベルトに、硬いスポンジ製の腹当て具、腰当て具を設け、幅広のベルトを強く締め、日常着用することで、ウエスト燃焼系で痩せ、腰痛の予防、治療に効果があり，又カラオケ等で歌を歌うとき、発声が容易にでき、パワーがでて、思いっきり歌え、更にウエストが細くなる事を特徴とするカラオケ発声パワーベルトである。【選択図】  図１
2007072416.tif 000002
【特許請求の範囲】
【請求項１】
布帯製、本革、人工革製、ポリエステル樹脂製、ゴム製の幅広のベルトに腹部には腹当て具、腰部には腰当て具を設けたカラオケ発声パワーベルト。
【請求項２】
幅広のベルトに取りつける、腹当て具、腰当て具の材料はプラスチックスポンジで構成され、ベルトにマジックテープで固定するか、腰当て具、腹当て具に挿入口を設けてベルトを挿入して適所に移動してベルトを強く締める構造にした請求項１記載のカラオケ発声パワーベルト。
【請求項３】
幅広のベルトを強く締めることにより、カラオケでの声の発声が楽になり、容易に発声が出来、思いっきり歌え、日常着用でウエストも燃焼系で痩せ、腰痛の予防・治療にも良い請求項１〜２記載のカラオケ発声パワーベルト。
【請求項４】
腹当て部、腰当て部のプラスチックスポンジの材料に、ゲルマニウム、トルマリン、セラミック、保温剤を混入させ、その特性を利用した請求口１〜３記載のカラオケ発声パワーベルト。
【発明の詳細な説明】
【技術分野】
【０００１】  本発明は、日常着用のみで、声の発声が容易に出せ、カラオケで歌を楽しめながら、同時にウエストの燃焼系で痩せ、腰痛にも効果のあるパワーベルトに関する。
【背景技術】
【０００２】  従来、重い物を持ち上げたり、又軽い物を不用意に持ち上げ、ぎっくり腰になったり、着座又は立ち時間が長い時、屈伸運動を繰り返したとき等で腰を痛めた時、磁石を腹巻に組み込んだ磁石腹巻、腹部が冷えるのを防ぐ腹巻、腰痛を緩和するための腰痛ベルト、腰痛を治療又は背腰筋の筋力低下の補助等で各種腹巻、腰痛ベルトが市販されている。例えば、特開平０８−０６６４１７号公報、特開平０８−０１９５６０号公報、実開平０７−０２４３４３号公報等がある。
そして、殆どが腰部の部位に保護、治療器具が設けている。しかし腰部の腰当て具と腹部の腹当て具を設け両方をベルトで巻き締め付ける。日常着用でカラオケ時の声の発声が容易で、歌を楽しめ、ウエストも燃焼系で痩せ、腰痛の予防、治療に効果のあるベルトは見当たらない。
【発明の開示】
【発明が解決しようとする課題】
【０００３】  それには次のような問題点があった。
（イ）腹部に腹当て具を設けたものはない・
（ロ）腹部の腹当て具と腰部の腰当て具の両方を設けたものはない。
（ハ）腹当て具と腰当て具を幅広のベルトで締め付け、腰痛の予防、治療に効果のベルトは見当たらない。
（ニ）ベルトを締め付けることにより、カラオケで歌を歌う際、発声が容易に出せると共に、思いっきり歌え、楽しめるものは見当たらない。
（ホ）日常着用のみでウエスト燃焼系で痩せるものはない。
（ヘ）健康、腰痛ベルトで治らなかったのが、このベルトの着用で効果が確認できたものはない。
本発明は、以上の問題点を解決するためのものである。
【課題を解決するための手段】
【０００４】  布帯製、綿、本革、人工革製、ナイロン、ポリウレタン、エチレンビニール、ＰＣボーン、合成繊維、ポリエステル製、ゴム製の幅広のベルトを設け、腹部側に硬めのスポンジ製、プラスチック製、木製の腹当て具を設け、又腰部に硬めのスポンジ製の腰当て具を設ける。そして、各種材質の巾広ベルトの適所にマジックテープ等で腹当て具，腰当て具を固定し、腹部、腰部の最適部に押し当て、巾広のベルトで締め付ける。プラスチック製、木製、スポンジ製の腹当て具、硬めのスポンジの腰当て具に、ゲルマニウムの粉末、及びトルマリンの粉末、セラミック、保温剤を混入することにより、各粉末の特性を大いに生かすことも可能である。
【発明の効果】
【０００５】  日常着用のみで、腹当て具、腰当て具のついたベッルトを強く締めることによりカラオケで歌を歌う際、発声が容易に出せると共に歌を楽しく歌えるようになり、強めに締めるので腰を痛めず、腰痛で治らなかったのが、このベルト着用で治った人もおり又、ウエストが細くなる効果もある。又、材料の硬いスポンジにゲルマニュウム、トルマリンの粉末セラミック、保温剤等を加えその特性を生かすことも出来る。
【発明を実施するための最良の課題】
【０００６】  以下、本発明の実施の形態を説明する。
（イ）  布帯製、綿、本革、人工革製、ナイロン、ポリウレタン、ＰＣボーン、合成繊維、ポリエステル、ゴム製等の幅広のベルト（１）を設ける。
（ロ）  腹部側にプラスチック製、スポンジ製の腹当て具（２）、腰部にスポンジ製の腰当て具（３）を設ける。
（ハ）  幅広のベルト（１）に腹当て具、腰当て具を設置する適所にマジックテープ（４）を設ける。
（ニ）  腹当て具（２）、腰当て具（３）に、マジックテープ（５）を設ける。
（ホ）  幅広ベルト（１）のマジックテープ貼り付け部に腹当て具（２）、腰当て具（３）を貼り付ける。
（ヘ）  ベルト（１）を腹部、腰部に巻いてベルトを強く締める。
（ト）  プラスチック製、金属製のベルト長さ調整リング（６）で調整し、マジックテープで固定する。
（ト）  腹当て具（２）、腰当て部（３）のプラスチック製、スポンジ製の材料に、保温剤、ゲルマニュウム・トルマリンの粉末、セラミック等を混入して、特性を利用することも出来、効果も期待できる。
本発明は、以上の構成よりなっている。
【図面の簡単な説明】
【０００７】
【図１】本発明のベルト斜視図
【図２】本発明の平面図
【図３】本発明の使用時の側面図
【図４】本発明の腹当て具の断面図
【図５】本発明の腰当て具の断面図
【図６】本発明のベルト長さ調整リングＡ平面図
【図７】本発明のべると長さ調整リングＢ平面図
【符号の説明】
【０００８】  １  ベルト
２  腹当て具
３  腰当て具
４  マジックテープ  Ａ
５  マジックテープ  Ｂ
６  ベルト長さ調整リングＡ
７  ベルト長さ調整リングＢ
【図１】
2007072416.tif 000003
【図２】
2007072416.tif 000004
【図３】
2007072416.tif 000005
【図４】
2007072416.tif 000006
【図５】
2007072416.tif 000007
【図６】
2007072416.tif 000008
【図７】
2007072416.tif 000009
(57)【要約】【課題】  絶対音感と表現の習得に適した、コンピュータによる楽音発生装置で、利用場所の制約を少なくできるように小型化が可能な装置を提供する。【解決手段】  構成要素はコンピュータのハードウェアとソフトウェアである。ハードウェアには典型的な機能部として、または加えて、テンキーと２つの隣接するキー、およびスピーカーを備える。機能構成は、キーダウン受付機能、キーアップ受付機能、キー状態判定、および保持機能、楽音開始機能、楽音停止機能である。あらかじめテンキーとそれに隣接する２つのキーに音階を割り当てる。テンキーと２つの隣接するキーを４行３列に見立て、１点ホ音から２点嬰ニ音まで（低音から高音）の１２音を左下から右上に向けて行優先で割り当てる。これによりテンキーの１から９の中央である５にロ音が割り当り、６にハ音が割り当たることになる。キーダウン状態で楽音開始し、キーアップ状態で楽音停止を行う。【選択図】図３
2007272164.tif 000002
【特許請求の範囲】
【請求項１】
絶対音感と表現の習得に適した、コンピュータによる楽音発生装置で、利用場所の制約を少なくできるように小型化が可能な装置であり、構成要素はコンピュータのハードウェアとソフトウェアである。ハードウェアには典型的な機能部として、または加えて、テンキーと２つの隣接するキー、およびスピーカーを備える。機能構成は、キーダウン受付機能、キーアップ受付機能、キー状態判定、および保持機能、楽音開始機能、楽音停止機能である。あらかじめテンキーとそれに隣接する２つのキーに音階を割り当てる。テンキーと２つの隣接するキーを４行３列に見立て、１点ホ音から２点嬰ニ音まで（低音から高音）の１２音を左下から右上に向けて行優先で割り当てる。これによりテンキーの１から９の中央である５にロ音が割り当り、６にハ音が割り当たることになる。キーダウン状態で楽音開始し、キーアップ状態で楽音停止を行う。
【請求項２】
請求項１の装置にオクターブ単位のシフト機能を付加した装置。
【発明の詳細な説明】
【技術分野】
【０００１】  コンピュータによる楽音発生装置であり、特にキー数を少なくした装置。
【背景技術】
【０００２】『コンピュータ用キーボードを楽器用鍵盤として使用する装置、方法、及びプログラムを記録した媒体』として、特開２００３−２６３１６８（Ｐ２００３−２６３１６８Ａ）がある。演奏時に英字キー部分を使用している。
『出生時より始められる、絶対音感習得の為の画面付キーボードシステム』として、特開２００２−１１６６８７（Ｐ２００２−１１６６８７Ａ）がある。音楽キーボードを使用している。
『音符入力機能付き電話端末装置』として、特開２０００−３１６０３７（Ｐ２０００−３１６０３７Ａ）がある。ド音をベースとしている。
【特許文献１】特開２００３−２６３１６８（Ｐ２００３−２６３１６８Ａ）
【特許文献２】特開２００２−１１６６８７（Ｐ２００２−１１６６８７Ａ）
【特許文献３】特開２０００−３１６０３７（Ｐ２０００−３１６０３７Ａ）
【発明の開示】
【発明が解決しようとする課題】
【０００３】  絶対音感と表現の習得に適した、コンピュータによる楽音発生装置で、利用場所の制約を少なくできるように小型化が可能な装置を提供する。
【課題を解決するための手段】
【０００４】  構成要素はコンピュータのハードウェアとソフトウェアである。ハードウェアには典型的な機能部として、または加えて、テンキーと２つの隣接するキー、およびスピーカーを備える。機能構成は、キーダウン受付機能、キーアップ受付機能、キー状態判定、および保持機能、楽音開始機能、楽音停止機能である。あらかじめテンキーとそれに隣接する２つのキーに音階を割り当てる。テンキーと２つの隣接するキーを４行３列に見立て、１点ホ音から２点嬰ニ音まで（低音から高音）の１２音を左下から右上に向けて行優先で割り当てる。これによりテンキーの１から９の中央である５にロ音が割り当り、６にハ音が割り当たることになる。キーダウン状態で楽音開始し、キーアップ状態で楽音停止を行う。
【発明の効果】
【０００５】  テンキーの１から９の中央である５に一般に高音部を表現するト音記号付五線譜の第３線音を割り当てることで絶対音の表現を習得し易くしている。また、鍵盤楽器の白鍵音が最小数である２つの島を形成し、かつ連続する白鍵音間隔が最小であり、運指に有利である。
【発明を実施するための最良の形態】
【０００６】  テンキー０〜９の１０個とそれに隣接するドットキー、エンターキーの合わせて１２個を使用する。０、ドット、エンター、１〜９の順に音階を割り当てる。楽音はＭＩＤＩ発音とする。キー状態保持配列、楽音データ配列を用意する。キーダウン受付とキーアップ受付でキー状態保持配列を更新する。周期的に高精度タイマー（１ミリ秒で割り込み）によってキー状態保持配列を判定し、キーに対応するノートオン、ノートオフデータを楽音データ配列に起動（発音／消音）時刻とともに書き出す。楽音データ配列の前回起動位置の次から走査し、起動時刻が合致した楽音データについて、楽音開始、または楽音停止を機能させる。【０００７】  テンキーボード付属のプラスキー、マイナスキーのキーダウン中、オクターブ変更を行う。
【図面の簡単な説明】
【０００８】
【図１】  典型的なコンピュータのハードウェア構成。
【図２】  テンキーボードと音階の割り当て。
【図３】  音階の割り当ての優位性。（ハ長調での階名による）
【図４】  配列要素。
【図５】  プログラム・フロー・チャート（１／４）
【図６】  プログラム・フロー・チャート（２／４）
【図７】  プログラム・フロー・チャート（３／４）
【図８】  プログラム・フロー・チャート（４／４）
【符号の説明】
【０００９】  １０プログラム、処理データ保持部、１１演算部、１２入力部、１３出力部、１４データ・プログラム保存部。
２０テンキーボードの例、２１音階の割り当て。
３０鍵盤楽器の白鍵音の最小数である２つの島、３１ト音記号付五線譜の第３線音。
４０キー状態配列の要素、４１楽音データ配列。
５０から６３まで識別子。
７０から７８まで識別子。
８０から８８まで識別子。
９０から９３まで識別子。
【図１】
2007272164.tif 000003
【図２】
2007272164.tif 000004
【図３】
2007272164.tif 000005
【図４】
2007272164.tif 000006
【図５】
2007272164.tif 000007
【図６】
2007272164.tif 000008
【図７】
2007272164.tif 000009
【図８】
2007272164.tif 000010
(57)【要約】【課題】  音名の特定と音の変位や和音の理解を助ける音名ラベルを提供する。【解決手段】  楽器のキー面、フレット面、指板、および楽譜やコード表に貼付するラベルであり、ハ音からロ音までの１２音に漢字、またはイラストや写真で順に『地道山木実川岩海島空月星』を割り当てる。楽器、楽譜、コード表はコンピュータで実現されるものを含む。その場合は、ラベルを表示出力する。楽譜、コード表は印刷時にラベルを刷り込んだものを含む。【選択図】図１
2007272166.tif 000002
【特許請求の範囲】
【請求項１】
楽器のキー面、フレット面、指板、および楽譜やコード表に貼付するラベルであり、ハ音からロ音までの１２音に漢字、またはイラストや写真で順に『地道山木実川岩海島空月星』を割り当てたもの。
【請求項２】
請求項１の楽器、楽譜、コード表がコンピュータで実現されているものであり、ラベル表示出力機能を実現するコンピュータハードウェア、およびソフトウェア。
【請求項３】
請求項１の楽器、楽譜、コード表がコンピュータで実現されているものであり、ラベル表示出力機能を実現するコンピュータプログラム。
【請求項４】
請求項１の楽譜、コード表が印刷物で実現されているものであり、ラベルを印刷時に刷り込んだもの。
【発明の詳細な説明】
【技術分野】
【０００１】  音階の表記、表示、および記録に関する。
【背景技術】
【０００２】『音階表記方法、楽譜、鍵盤楽器および弦楽器ならびに携帯電話機及び携帯電話の着信音決定方法ならびに作曲装置及び作曲方法ならびにコンピュータ読取り可能な情報記録媒体ならびに和音表示装置及び和音表示方法』として、音階に色を割り当て、音の高低を把握し易くする方法が提示されている。特開２００２−２０７４７９（Ｐ２００２−２０７４７９Ａ）
【特許文献１】特開２００２−２０７４７９（Ｐ２００２−２０７４７９Ａ）
【発明の開示】
【発明が解決しようとする課題】
【０００３】  音名の特定と音の変位や和音の理解を助ける音名ラベルを提供する。
【課題を解決するための手段】
【０００４】  楽器のキー面、フレット面、指板、および楽譜やコード表に貼付するラベルであり、ハ音からロ音までの１２音に漢字、またはイラストや写真で順に『地道山木実川岩海島空月星』を割り当てる。楽器、楽譜、コード表はコンピュータで実現されるものを含む。その場合は、ラベルを表示出力する。楽譜、コード表は印刷時にラベルを刷り込んだものを含む。
【発明の効果】
【０００５】  音名記録時に一文字で表現できる。自然界の環境と対応させているため、音の変位の方向と量の把握がし易い。
【発明を実施するための最良の形態】
【０００６】  コンピュータのテンキーボードを利用した楽器において、キー面に貼付するラベル。
【図面の簡単な説明】
【０００７】
【図１】  音名の割り当て。
【符号の説明】
【０００８】  １０鍵盤楽器での割り当て、１１テンキーボードでの割り当て例。
【図１】
2007272166.tif 000003
(57)【要約】【課題】個人所有の車の貸渡を行う者や副業として車の貸渡行う者が利益をあげる事ができるのか。【解決手段】［０００１］免許停止期間中や免許取消などに車の維持費が軽減できる。［０００２］副業として利益を上げるためには、高級車などの貸渡を行えば利益の増大が見込める。【特許請求の範囲】
【請求項１】
個人個人が所有する車を集め貸渡、仲介を行い利益を得る業務。
【発明の詳細な説明】
【技術分野】
【０００１】本発明は、レンタカーに関するものであり、個人の車の貸渡を行う。
【発明の開示】
【発明が解決しようとする課題】
【０００２】車を所有する者が、自分の車を他人に貸そうと思うか。
【課題を解決するための手段】
【０００３】この課題を解決するための請求項の１の発明は、個人が所有する車を集め仲介を行い、個人も含めて利益を得る事ができる。
【発明の効果】
【０００４】本発明により、免許取消処分者や個人が所有する車になかなか乗る暇がない人たちの、ローン返済や車の維持費の軽減。【０００５】また、定年退職された方や、副業としてでも利益を得る事ができる。
【発明を実施するための最良の形態】
【実施例】
【会社から見た実施例】
【０００６】貸渡を行う場合、借受入が借りたい前日に個人所有者が決めた金額からのオークション方式で、一番高く支払う借受入に決まる。
【０００７】個人所有者の車の貸渡を行う方は、会社への登録を行い、月間の利益から事務手数料として２０パーセントを会社の利益とする。
【０００８】宣伝のやり方として、名刺に個人所有者の名前を記載し名刺の裏には車の外装、内容を載せ個人所有者がお客様に宣伝を行う。
【車の所有者から見た実施例】
【０００９】車を会社に預け、前日のオークションの時の電話対応は会社が行い、借受入が決まれば会社の方から個人所有者に金額などを伝える。
【お客様から見た実施例】
【００１０】お客様が乗りたいと思う車があれば、会社の方に連絡していただき、個人所有者が決めた金額以上の提示をしていただく。